(57)【要約】【課題】  網戸の着脱が容易に行える網戸装置を提供する。【解決手段】  建物の外壁部１に形成した窓開口５１に障子２を開閉自在に設けた窓３に設ける網戸装置４である。前記窓開口５１の対向する端縁部の障子２よりも建物内方側の部分にそれぞれ断面略コ字状をした取付部材５をその開口５１が互いに対向するように取付け、弾性材からなり自己復元力を有する環状をした枠６１に変形自在な網６２を張設して網戸６を形成し、前記網戸６を変形させてその枠６１の対向する部分が上記両取付部材５の対向する端縁を乗り越えることで、該枠６１が取付部材５の開口５１内に自己復元力により収容されて網戸６が取り付られると共に開口５１内に収容されていた枠６１が開口５１外に出されて網戸６が取り外される。【選択図】図１
2007332569.tif 000002
【特許請求の範囲】
【請求項１】
建物の外壁部に形成した窓開口に障子を開閉自在に設けた窓に設ける網戸装置であって、前記窓開口の対向する端縁部の障子よりも建物内方側の部分にそれぞれ断面略コ字状をした取付部材をその開口が互いに対向するように取付け、弾性材からなり自己復元力を有する環状をした枠に変形自在な網を張設して網戸を形成し、前記網戸を変形させてその枠の対向する部分が上記両取付部材の対向する端縁を乗り越えることで、該枠が取付部材の開口内に自己復元力により収容されて網戸が取り付られると共に開口内に収容されていた枠が開口外に出されて網戸が取り外されることを特徴とする網戸装置。
【発明の詳細な説明】
【技術分野】
【０００１】
本発明は、外壁部に形成した窓開口に障子を開閉自在に設けた窓に設ける網戸装置に関するものである。
【背景技術】
【０００２】
従来より開閉自在な窓には、網戸が設けられている（例えば特許文献１参照）。従来より、図３に示すように、建物の外壁部１に形成した窓開口１１に障子２を開閉自在に設けた窓３には、網戸装置を設けている。網戸装置は、アルミニウム等からなる正面視略矩形状をした枠６１’に網６２’を張設して網戸６’を形成し、この網戸６’を窓開口１１の端縁部にビス等の固着具により固定して取り付けてある。
【０００３】
この網戸装置にあっては、網戸６’を掃除するにあたり、網戸６’を窓開口１１に固定しているビス等の固着具（図示せず）を外して網戸６’を窓開口１１から取り外す必要があるが、この網戸６’の取り外しおよび取り付けも面倒なものであった。
【特許文献１】特開平５−２８７９５８号公報
【発明の開示】
【発明が解決しようとする課題】
【０００４】
本発明は上記の点に鑑みてなされたものであり、その目的とするところは、網戸の着脱が容易に行える網戸装置を提供することを課題とするものである。
【課題を解決するための手段】
【０００５】
上記課題を解決するために請求項１に係る発明にあっては、建物の外壁部１に形成した窓開口１１に障子２を開閉自在に設けた窓３に設ける網戸装置４であって、前記窓開口１１の対向する端縁部の障子２よりも建物内方側の部分にそれぞれ断面略コ字状をした取付部材５をその開口５１が互いに対向するように取付け、弾性材からなり自己復元力を有する環状をした枠６１に変形自在な網６２を張設して網戸６を形成し、前記網戸６を変形させてその枠６１の対向する部分が上記両取付部材５の対向する端縁５２を乗り越えることで、該枠６１が取付部材５の開口５１内に自己復元力により収容されて網戸６が取り付られると共に開口５１内に収容されていた枠６１が開口５１外に出されて網戸６が取り外されることを特徴とするものである。
【０００６】
このような構成とすることで、網戸６を掃除したりするために取り付け・取り外しを行うあたり、従来のように網戸６を窓開口１１に固定しているビス等の固着具を着脱して網戸６を窓開口１１から取り付け・取り外しする必要がなく、網戸６の枠６１を手で変形させるだけでよいため、この網戸６の取り付け・取り外しの作業が容易に行える。
【発明の効果】
【０００７】
本発明にあっては、弾性材からなり自己復元力を有する環状をした枠に変形自在な網を張設して網戸を形成し、網戸を変形させてその枠を窓開口に設けた取付部材に嵌め込んで取り付けるようにしたことで、網戸の着脱が容易となるものである。
【発明を実施するための最良の形態】
【０００８】
以下、本発明の一実施形態について図１、図２に基づいて説明する。本発明の網戸装置４を設ける窓３は、建物の外壁部１に形成した窓開口１１に障子２を開閉自在に設けて構成されるものであって、特に形態は限定されないが、以下の実施形態では窓本体２２の下端部を外方に開く形態の例について説明する。
【０００９】
建物の外壁部１に正面視略矩形状をした窓開口１１が形成してあり、この窓開口１１の端縁部に窓開口枠６１が取り付けられる。窓開口枠６１には、障子２が窓開口１１を開閉自在となるように設けられる。障子２は、略矩形状をした枠部２１と、この枠部２１に嵌め込まれるガラスからなる窓本体２２とからなり、障子２の枠部２１の上枠２１ａの左右両端部に設けた回動部２３を窓開口枠６１の回動受部３２に配設している。これにより、障子２の上端を軸として下端が建物外方側に向けて回動して窓開口１１が開く。
また、本実施形態では障子２の内方側に後述する網戸６が設けてあって手で直接障子２の開け閉めを行うのが困難であるため、図示しないが、室内より障子２の開閉操作が可能な操作部が設けてある。操作部としては、障子２の下端部に室内より繋がる棒部材を接続して室内から障子２の開閉を行ったり、あるいはモーター等の駆動源を備えた電動の開閉機構であってもよく、特に限定されない。
【００１０】
次に、本発明の網戸装置４について説明する。網戸装置４は、取付部材５と網戸６とで構成される。
【００１１】
取付部材５は、本実施形態では断面略コ字状をしたもので、少なくとも一対が対向するように窓開口１１の端縁部の障子２よりも建物内方側に取り付けられる。本実施形態では窓開口１１の上下の端縁部にそれぞれコ字状の開口５１が互いに対向するように取り付けてあるが、窓開口１１の左右の端縁部にそれぞれ対向するように取り付けてあったり、左右および上下にそれぞれ対向するように取り付けてあってもよい。
【００１２】
網戸６は、枠６１と網６２とで形成される。枠６１は、弾性材からなる環状をしたもので、合成樹脂やゴム等の弾性材を正面視略矩形状の環状に形成してある。枠６１は、弾性材からなるため自己復元力を有しており、手で力を加えて変形させることができると共に、力を抜くと元の形状に戻るものである。この枠６１には変形自在な網６２が張設してあるが、この網６２は枠６１の変形を妨げないと共に枠６１が元の形状に戻ると網６２も元の張った状態となる。
【００１３】
本実施形態では、枠６１は力がかかっていない状態で、全長が曲線状となって角が丸みを帯びた正面視大略ロ字状をしているが特に限定されない。
【００１４】
この網戸６は、上述したように対向するように取り付けられた取付部材５内に枠６１の対向する部分がそれぞれ嵌め込まれる。このため、窓開口１１に対向するように取り付けられる両取付部材５の間隔（厳密には両取付部材５の対向する端縁５２間の距離）は、網戸６の取付部材５に嵌め込まれる対向する部分の間隔と同じかこれより短くなければならない。
【００１５】
網戸６を取り付けるには、網戸６の枠６１を変形させて、取付部材５内に嵌め込まれる対向する部分の距離を短くして両取付部材５の対向する端縁５２を乗り越えさせ、枠６１を変形させている力を抜くことで枠６１の自己復元力によって枠６１の対向する部分がそれぞれ対向する取付部材５の開口５１内に収容され、これにより網戸６が取り付けられる。
【００１６】
また網戸６を取り外すには、取り付けの逆、すなわち網戸６の枠６１を変形させて、取付部材５内に嵌め込まれている対向する部分の距離を短くして両取付部材５の対向する端縁５２を乗り越えさせて、取付部材５の開口５１内より取り出すことで行われる。
【００１７】
このような網戸装置４によれば、網戸６を掃除したりするために取り付け・取り外しを行うあたり、従来のように網戸６を窓開口１１に固定しているビス等の固着具を着脱して網戸６を窓開口１１から取り付け・取り外しする必要がなく、網戸６の枠６１を手で変形させるだけでよいため、この網戸６の取り付け・取り外しの作業が容易に行える。
【図面の簡単な説明】
【００１８】
【図１】本発明の一実施形態の断面図である。
【図２】同上の網戸の正面図である。
【図３】従来例の断面図である。
【符号の説明】
【００１９】
１    外壁部
１１  窓開口
２    障子
２１  枠部
２１ａ  上枠
２２  窓本体
２３  回動軸部
３    窓
３１  窓開口枠
３２  回動軸受部
４    網戸装置
５    取付部材
５１  開口
５２  端縁
６    網戸
６１  枠
６２  網
【図１】
2007332569.tif 000003
【図２】
2007332569.tif 000004
【図３】
2007332569.tif 000005